(57)【特許請求の範囲】
【請求項１】
型枠内に詰め込まれた自然石を、前記型枠内に打設されるコンクリートによって一体化するようにした自然石を用いた土木構造物用コンクリートブロックの製造方法であって、
鉄筋を逆Ｕ字状に折曲形成し、その両端部に前記型枠の底部に載置されるアンカーブロックを取り付け、これらの鉄筋の複数本を格子状に組み上げることによって構成した補強用支持枠体を、前記自然石を前記型枠の底部から離して支持するように前記型枠内に設置し、
前記補強用支持枠体を設置した後に、前記各前記補強用支持枠体を覆うように所定量の１次コンクリートを打設し、この１次コンクリートが半固化状態において、前記補強用支持枠体上に前記自然石を載置し、
前記１次コンクリート上に、前記自然石の周囲を取り囲むように２次コンクリートを打設し、これらの１次コンクリートおよび２次コンクリートを固化させることにより、これらの１次コンクリート、２次コンクリート、および、自然石を一体化することを特徴とする自然石を用いた土木構造物用コンクリートブロックの製造方法。
【請求項２】
前記補強用支持枠体と前記アンカーブロックとの間に、両者間の間隔を調整するレベル調整機構が設けられていることを特徴とする請求項１に記載の自然石を用いた土木構造物用コンクリートブロックの製造方法。
【請求項３】
前記型枠の略中央部に、前記補強用支持枠体の中間部を支持する補助支持枠体が設けられていることを特徴とする請求項１に記載の自然石を用いた土木構造物用コンクリートブロックの製造方法。
【請求項４】
前記補助支持枠体の下部に、前記型枠の底部に載置されるアンカーブロックが取り付けられていることを特徴とする請求項３に記載の自然石を用いた土木構造物用コンクリートブロックの製造方法。
【請求項５】
前記補助支持枠体と前記アンカーブロックとの間に、両者間の間隔を調整するレベル調整機構が設けられていることを特徴とする請求項４に記載の自然石を用いた土木構造物用コンクリートブロックの製造方法。
【請求項６】
前記補強用支持枠体の上部に、この補強用支持枠体上に載置される前記自然石に係合させられて、この自然石の位置ずれを抑制する係止部材が設けられていることを特徴とする請求項１ないし請求項５の何れかに記載の自然石を用いた土木構造物用コンクリートブロックの製造方法。
【請求項７】
前記自然石の詰め込みに先立って、前記１次コンクリートの表面を覆うように網状部材を挿入することを特徴とする請求項１ないし請求項６の何れかに記載の自然石を用いた土木構造物用コンクリートブロックの製造方法。
【請求項８】
前記型枠の対向する一対の側壁に、前記型枠の内側へ向かう凹部が形成され、他の一対の側壁に、前記型枠の外側へ向かう凸部が形成されていることを特徴とする請求項１ないし請求項７の何れかに記載の自然石を用いた土木構造物用コンクリートブロックの製造方法。
【請求項９】
前記型枠の底壁に、この型枠の内側へ向かう十字状の凸部が、前記型枠の略中央部を通るように形成されていることを特徴とする請求項１ないし請求項８の何れかに記載の自然石を用いた土木構造物用コンクリートブロックの製造方法。
【請求項１０】
前記請求項１ないし請求項９の何れかの製造方法によって形成されていることを特徴とする自然石を用いた土木構造物用コンクリートブロック。
【発明の詳細な説明】
【０００１】
【発明の属する技術分野】
本発明は、土木構造物に用いられるコンクリートブロックに係わり、特に、自然石を用い、河川や海岸等における護岸として好適に用いられる自然石を用いた土木構造物用コンクリートブロックに関するものである。
【０００２】
【従来の技術】
従来、河川や海岸等における護岸の構築方法として、図２２に示すように、法面Ｇに１次コンクリートを打設して固化させることによって所定強度の根固め部１を形成し、この固化した根固め部１上に多数の石２を配置し、さらに、これらの石の隙間を埋めるように２次コンクリート（図示略）を打設して固化させることにより、前記多数の石２を固定する方法が知られている。
【０００３】
また、他の構築方法として、型枠を用い、この型枠内に１次コンクリートを所定厚さ打設・固化させることによって、所定強度の根固め部を形成した後に、この根固め部上に複数の石を配置した後に、これらの石の隙間を埋めるように２次コンクリートを打設し、この２次コンクリートの固化後に前記型枠を取り外すことにより、前記石が一体化されたコンクリートブロックを形成し、このコンクリートブロックを、河川や海岸等の法面を覆うように面方向に順次設置する方法もある。
【０００４】
一方、前述したような石を用いた土木構造物を構築する場合、構築現場に存在する自然石を利用することにより、運搬費用や材料費を軽減することが行われている。
【０００５】
【発明が解決しようとする課題】
ところで、前述したような従来の護岸の構築方法にあっては、つぎのような改善すべき課題が残されている。
【０００６】
すなわち、前述した何れの構築方法にあっても、根固め部を形成する際に、打設された１次コンクリートを、石を配置するの必要な強度となるまで固化させなければならず、さらに、この固化時間に加えて前記２次コンクリートの固化時間も必要であるから、工期が長引いてしまう。
そして、工期が長引くと、コンクリートの養生が天候の変化の影響を受けやすくなり、品質の均質化のためにその対処が必要となるといった問題点もある。
また、１次コンクリートが固化した後に２次コンクリートを打設するものであるから、１次コンクリートと２次コンクリートとの接合が弱くなることも想定される。
この問題点は、特に、後者のコンクリートブロックを用いた構築方法の場合、１次コンクリートと２次コンクリートとの接合面の面積が狭くなることから顕著となることが考えられる。
また、石を、平坦な固化した１次コンクリート上に配置して２次コンクリートを打設するのであるが、前記石を一次コンクリート上に配置する際に、石の姿勢が不安定であり、施工性が悪いといった不具合もある。
さらに、１次コンクリート上に配置された石の固定は、主に２次コンクリートによって行われることから、通常、前記石の固定強度を確保するために、前記２次コンクリートを、前記石の高さの半分を覆うように打設しなければならない。したがって、形状の大きな石を使用することができず、石の選別作業が必要となり、この点からも施工性が悪くなり、また、自然発生あるいは工事に伴って発生する自然石を有効に再使用することができない。
【０００７】
本発明は、このような従来の課題に鑑みてなされたもので、自然石を用いることの利点を保持しつつ、工期を短縮して品質を確保し、さらに、自然石の固定を確実に行い得る自然石を用いた土木構造物用コンクリートブロックの製造方法および自然石を用いた土木構造物用コンクリートブロックを提供することを目的とする。
【０００８】
【課題を解決するための手段】
本発明の請求項１に記載の自然石を用いた土木構造物用コンクリートブロックの製造方法は、前述した目的を達成するために、型枠内に詰め込まれた自然石を、前記型枠内に打設されるコンクリートによって一体化するようにした自然石を用いた土木構造物用コンクリートブロックの製造方法であって、鉄筋を逆Ｕ字状に折曲形成し、その両端部に前記型枠の底部に載置されるアンカーブロックを取り付け、これらの鉄筋の複数本を格子状に組み上げることによって構成した補強用支持枠体を、前記自然石を前記型枠の底部から離して支持するように前記型枠内に設置し、前記補強用支持枠体を設置した後に、前記各前記補強用支持枠体を覆うように所定量の１次コンクリートを打設し、この１次コンクリートが半固化状態において、前記補強用支持枠体上に前記自然石を載置し、前記１次コンクリート上に、前記自然石の周囲を取り囲むように２次コンクリートを打設し、これらの１次コンクリートおよび２次コンクリートを固化させることにより、これらの１次コンクリート、２次コンクリート、および、自然石を一体化することを特徴とする。
本発明の請求項２に記載の自然石を用いた土木構造物用コンクリートブロックの製造方法は、請求項１において、前記補強用支持枠体と前記アンカーブロックとの間に、両者間の間隔を調整するレベル調整機構が設けられていることを特徴とする。
本発明の請求項３に記載の自然石を用いた土木構造物用コンクリートブロックの製造方法は、請求項１において、前記型枠の略中央部に、前記補強用支持枠体の中間部を支持する補助支持枠体が設けられていることを特徴とする。
本発明の請求項４に記載の自然石を用いた土木構造物用コンクリートブロックの製造方法は、請求項３において、前記補助支持枠体の下部に、前記型枠の底部に載置されるアンカーブロックが取り付けられていることを特徴とする。
本発明の請求項５に記載の自然石を用いた土木構造物用コンクリートブロックの製造方法は、請求項４において、前記補助支持枠体と前記アンカーブロックとの間に、両者間の間隔を調整するレベル調整機構が設けられていることを特徴とする。
本発明の請求項６に記載の自然石を用いた土木構造物用コンクリートブロックの製造方法は、請求項１ないし請求項５の何れかにおいて、前記補強用支持枠体の上部に、この補強用支持枠体上に載置される前記自然石に係合させられて、この自然石の位置ずれを抑制する係止部材が設けられていることを特徴とする。
本発明の請求項７に記載の自然石を用いた土木構造物用コンクリートブロックの製造方法は、請求項１ないし請求項６の何れかにおいて、前記自然石の詰め込みに先立って、前記１次コンクリートの表面を覆うように網状部材を挿入することを特徴とする。
本発明の請求項８に記載の自然石を用いた土木構造物用コンクリートブロックの製造方法は、請求項１ないし請求項７の何れかにおいて、前記型枠の対向する一対の側壁に、前記型枠の内側へ向かう凹部が形成され、他の一対の側壁に、前記型枠の外側へ向かう凸部が形成されていることを特徴とする。
本発明の請求項９に記載の自然石を用いた土木構造物用コンクリートブロックの製造方法は、請求項１ないし請求項８の何れかにおいて、前記型枠の底壁に、この型枠の内側へ向かう十字状の凸部が、前記型枠の略中央部を通るように形成されていることを特徴とする。
本発明の請求項１０に記載の自然石を用いた土木構造物用コンクリートブロックは、請求項１ないし請求項９の何れかにおいて、前記請求項１ないし請求項９の何れかの製造方法によって形成されていることを特徴とする。
【０００９】
【発明の実施の形態】
以下、本発明の第１の実施形態について、図１ないし図１２を参照して説明する。  まず、本発明に係わる自然石を用いた土木構造物用コンクリートブロックの製造方法の説明に先立って、この製造方法に有効に用いられる型枠等の製造用部材について説明する。
【００１０】
本実施形態に係わる土木構造物用コンクリートブロックの製造に用いられる型枠は、図１に符号３で示すように、略矩形状を有する有底の箱形形状に形成されており、その対向する一対の側壁の中間部には、前記型枠３の内側へ向かう凹部４がそれぞれ形成されており、また、前記型枠３の対向する他方の一対の側壁３ｂの中間部には、前記型枠３の外方へ向かう凸部５がそれぞれ形成されている。そして、これらの凹部４と凸部５は、平面視で、略同一形状となされている。
【００１１】
また、前記各凹部４および凸部５の、前記型枠３の側壁３ａ・３ｂの上端部を基準とする厚みが、略同一に形成されているとともに、ぞれぞれの下端部が、前記型枠３の底壁３ｃから所定距離高い位置に位置させられている。
【００１２】
さらに、本実施形態においては、前記型枠３の底壁３ｃに前記両凹部４および凸部５の底面をつなぐように、十字状の溝６が形成されている。
したがって、前記十字状の溝６によって、前記型枠３の内側四隅には、平面視で矩形状をなす凹部７が形成される。
【００１３】
一方、前述したように構成された前記型枠３内には、後述する前記自然石Ｓを前記型枠３の底部から離して支持する補強用支持枠体８が、図２に示すように設置されるようになっている。
この補強用支持枠体８は、多数設けられているとともに、平面視で所定隙間を形成するように格子状に組み上げられて、前記型枠３内を区画するようになっている。
【００１４】
また、前記各補強用支持枠体８は、鉄筋棟の棒状材を略逆Ｕ字状に折曲することによって形成されており、その両端部には、コンクリート等からなるアンカーブロック９が一体に取り付けられており、このアンカーブロック９が、前記型枠３の４隅に形成されている凹部７の底面や、前記十字状の溝６の上面に載置させられることによって、前記型枠３内に設置されている。
また、本実施形態においては、前記補強用支持枠体８の、前記型枠３の内壁面と対向する位置に、アンカーブロック９が取り付けられており、この横方向のアンカーブロック９によって、前記補強用支持枠体８に対する水平方向への位置ずれが防止されている。
【００１５】
さらに、前記各補強用支持枠体８は、前述したように前記型枠３内に設置された状態において、それぞれの上端部が、前記型枠３の上部開口端から所定距離下方に位置させられており、これらの補強用支持枠体８の上端を通る仮想平面が、前記型枠３の上部開口面と所定間隔を有し、かつ、平行となるように設定されている。
【００１６】
また、本実施形態においては、前記補強用支持枠体８の上部に、前記型枠３の開口部へ向かうように脚体１０が、水平方向に間隔をおいて、一体に多数突設されている。
そして、これらの各脚体１０の上端部には、前記多数の補強用支持枠体８上に載置される後述する自然石Ｓの周縁部の上方と係合して、前記自然石Ｓの位置ずれを防止する係止部材１１が一体に設けられている。
これらの各脚体１０の設置数や間隔は、構築現場において採取される自然石Ｓの大きさや形状等に応じて適宜設定することが可能である。
【００１７】
前記各係止部材１１は、本実施形態においては、図３に示すように、上方へ向けて開口するようなＶ字形状となされている。
個々で、これらの係止部材１１は、前述したＶ字形状以外に、逆Ｌ字型やＴ字型等の形状が採用される。
【００１８】
ついで、このように構成された型枠３や補強用支持枠体８を用いてコンクリートブロックを製造する手順について説明すれば、以下のとおりである。
【００１９】
まず、図１に示す構成の型枠３を、構築現場において組み上げ、あるいは、前記型枠３を予め工場等において組み上げて構築現場へ搬入する。
ついで、前記型枠３内に多数の前記補強用支持枠体８を格子状に設置して、これらを図２および図３に示すように組み上げる。
また、前記補強用支持枠体８は、前記型枠３の外部において溶接等を用いてかご状に組み上げた後に、前記型枠３内に据え付けるようにしてもよく、さらに、これらの補強用支持枠体８を、予め工場等において組み上げて、構築現場に搬入するようにしてもよい。
【００２０】
これより、図４に示すように、前記型枠３内に、所定量の１次コンクリート１２を打設して、この１次コンクリート１２によって、前記各補強用支持枠体８を覆い、ついで、前記一次コンクリート１１が半固化状態にある状態において、図５に示すように、前記型枠３内に、その開口部をほぼ全面にわたって覆うように、多数の自然石Ｓを挿入する。
【００２１】
ここで、前記自然石Ｓは、構築現場において採取されるとともに、隣接する前記支持脚１０の３本または４本で形成される空間部内に挿入され得るような大きさが選択されて前記型枠３内に挿入される。
したがって、前記各自然石Ｓは、図５に示すように、その下部が、前記補強用支持枠体８によって前記型枠３の開口端部から所定深さにおいて支持されるとともに、上部が、前記各脚体１０に取り付けられている係止部材１１によって支持されることとなり、これらの自然石Ｓが、所定位置に位置ずれが防止された状態で支持される。
また、前述したように、前記１次コンクリート１２が半固化状態で前記自然石Ｓが挿入されることにより、これらを支持する補強用支持枠体８が、前記１次コンクリート１２によって補強され、その支持力が高められていることにより、前述した自然石Ｓの位置ずれがさらに抑制される。
【００２２】
ついで、図５に示すように自然石Ｓが挿入支持された型枠３内に、図６に示すように、前記各自然石Ｓの隙間を埋めるように２次コンクリート１３を打設し、これらの１次コンクリート１２と２次コンクリート１３の固化を待って、前記型枠３を取り外すことにより、図７に示すように、自然石Ｓが一体化されたコンクリートブロック１４が得られる。
【００２３】
このようにして製造されたコンクリートブロック１４では、前記２次コンクリート１３が、前記１次コンクリート１２が半固化状態で打設されることにより、この１次コンクリート１２が完全に固化した後において２次コンクリート１３を打設するのに比して、これらの１次コンクリート１２と２次コンクリート１３との接着強度が高く、したがって、自然石Ｓとコンクリートブロック１４全体とが強固に一体化される。
【００２４】
そして、このコンクリートブロック１４では、図７および図８に示すように、その平行な一対の側壁のそれぞれに凹部１５が形成され、また、他方の平行な一対の側壁のそれぞれに凸部１６が形成される。
さらに、図９および図１０に示すように、前記コンクリートブロック１４の下面には、前記型枠３の十字状の溝６に相当する溝１７が、同じく十字状に形成され、したがって、前記コンクリートブロック１４の下部の４隅には、下方へ向けて突出する脚部１８が形成される。
【００２５】
このようにして得られた本実施形態におけるコンクリートブロック１４は、図１１に示すように、河川や海岸等の法面Ｇを覆うように、この法面方向に順次設置されることによって護岸を構築する。
ここで、隣接するコンクリートブロック１４同士は、一方のコンクリートブロック１４の凹部１５に他方のコンクリートブロック１４の凸部１６が嵌合させられることによって、互いの面方向の相対移動が拘束されるとともに、各コンクリートブロック１４の底部の４隅形成されている脚部１８が、前記法面Ｇに食い込むことによって、この法面Ｇに対するずれも防止される。
したがって、本実施形態によって得られたコンクリートブロック１４によって構築される護岸等の土木構造物は、河川における水や海岸における海水の流れから、前記法面Ｇを効果的に保護することができる。
【００２６】
そして、前記コンクリートブロック１４を製造する際に、前記１次コンクリート１２が半固化状態にある状態において２次コンクリート１３を打設することから、これらの１次コンクリート１２と２次コンクリート１３との養生期間を重畳させることができるので、その製造期間を短縮することができるとともに、前述した土木構造物の構築期間を短縮することができる。
また、複雑な外形形状を有する自然石Ｓを型枠３内に設置する場合に、これらの自然石Ｓが脚体１０や係止部材１１によって係止されることから、前記自然石Ｓの不要な動きがなくなり、施工性が高められる。
一方、前記自然石Ｓが、一体化された１次コンクリート１２と２次コンクリート１３によって固定され、高い固定強度が確保されていることから、大きな自然石Ｓを用いた場合において、この自然石Ｓの、前記２次コンクリート１３中への埋め込み深さの比率が小さくなっても、この自然石Ｓの固定強度が確保される。したがって、自然石Ｓを用いる上において、その形状面での制約が大幅に緩和され、この結果、自然発生するあるいは工事に伴って発生する自然石Ｓを有効に利用することができる。
【００２７】
図１３ないし図１７は、本発明の第２の実施形態に係わるコンクリートブロック１４の製造方法に用いられる型枠やその他の構成部材からなる型枠装置を示すものである。
【００２８】
本実施形態においては、前述した第１の実施形態における補強用支持枠体８上に載置される、パンチングメタルやエキスパンドメタル等からなる網状部材１９を追加したことに特徴を有するものである。
【００２９】
このような型枠装置を用いて本実施形態に係わるコンクリートブロック１４を製造するには、まず、前述した第１の実施形態と同様に、図１４に示すように、前記型枠３の内部に、多数の補強用支持枠体８を格子状に組み上げた後に、前記型枠３内に前記補強用支持枠体８を覆うまで１次コンクリート１２を打設する。
【００３０】
ついで、図１５に示すように、前記補強用支持枠体８上に、これらの補強用支持枠体８のほぼ全てを覆うようにして前記網状部材１９を配置した後に、前記１次コンクリート１２が半固化状体にある状態において、図１６に示すように、前記網状部材１９上に複数の自然石Ｓを挿入載置する。
【００３１】
これより、図１７に示すように、前記複数の自然石Ｓの隙間を埋めるように、前記型枠３内に２次コンクリート１３を打設して、前記１次コンクリート１２および２次コンクリート１３を養生固化させた後に、前記型枠３を取り外すことによって、本実施形態によるコンクリートブロック１４が得られる。
【００３２】
本実施形態に係わる製造方法によってコンクリートブロック１４を製造する場合、前記型枠３内に挿入される自然石Ｓの重量が、前記網状部材１９によって分散されつつ前記補強用支持枠体８に支持される。
したがって、前記補強用支持枠体８に、局所的に荷重が集中することが防止されることにより、前記自然石Ｓの沈み込みが防止される。
また、前記２次コンクリート１３と自然石Ｓとが、前記網状部材１９を介して接合されることにより、前記自然石Ｓの固定強度が高められる。
その他の作用効果は、前述した第１の実施形態において得られるコンクリートブロック１４の作用効果と同様である。
【００３３】
図１８ないし図２０は、本発明の第３の実施形態に用いられる型枠装置を示すものである。
【００３４】
この型枠装置は、前記補強用支持枠体８の略中間部と前記型枠３の底壁との間に、補助支持枠体２０を介装したものである。
この補助支持枠体２０は、図２０に示すように、鉄筋棟の金属棒を矩形状に折曲形成したものであり、鉛直方向に沿うようにして用いられ、その下部には、前述したアンカーブロック９が取り付けられている。
【００３５】
そして、前記補助支持枠体２０は、図１８および図１９に示すように、前記各補強用支持枠体８の略中間部の下方に、これらと交差するように矩形状に配置されて、これらの各補強用支持枠体８の中間部を支持し、これによって、前記各補強用支持枠体８の中間部の下方への湾曲を防止して、これらの各補強用支持枠体８上に載置される自然石Ｓに対する支持強度を高めるようになっている。
【００３６】
このような型枠装置を用いたコンクリートブロックの製造方法は、前記各補強用支持枠体８を組み込むのに先立って、前記補助支持枠体２０を組み込むこと以外は、前記第１の実施形態と同様である。
【００３７】
なお、前記実施形態において示した各構成部材の諸形状や寸法等は一例であって、設計要求等に基づき種々変更可能である。
たとえば、前記各実施形態においては、前記アンカーブロック９を、前記補強用支持枠体８や補助支持枠体２０に一体に設けた例について示したが、これに変えて、図２１に示すように、これらを位置調整機構２１を介して連結するようにしてもよい。
【００３８】
前記位置調整機構２１は、前記補強用支持枠体８や補助支持枠体２０と前記アンカーブロック９との間隔を調整するために設けられるもので、たとえば、図１９においてはターンバックルを示したが、パンタグラフ機構等、他の機構を用いることも可能である。
【００３９】
このような位置調整機構２１を用いることにより、前記型枠３の底面に対する前記補強用支持枠体８や補助支持枠体２０の各端部の高さ調整を行うことにより、これらのレベル調整や、前記補強用支持枠体８同士や補助支持枠体２０との接触状体の調整等を行うことができ、これらの上方に載置される自然石Ｓの支持をより確実なものとすることができる。
【００４０】
【発明の効果】
以上説明したように、本発明の請求項１ないし請求項１１に記載の自然石を用いた土木構造物用コンクリートブロックの製造方法によれば、自然石を用いることによる運搬費用の低減効果を確保しつつ、コンクリートブロックの製造期間を短縮し、これによって、河川や海岸等の護岸といった土木構造物の品質を均一化することができるとともに、土木構造物の構築期間を短くすることができる。
また、複雑な外形形状を有する自然石を型枠内に設置する場合に、これらの自然石を脚体や係止部材によって係止することにより、前記自然石の不要な動きをなくして、施工性を高めることができる。
一方、前記自然石を、一体化された１次コンクリートと２次コンクリートとによって固定することができるので、高い固定強度を確保することができ、これに伴って、大きな自然石を用いた場合において、この自然石の、２次コンクリート中への埋め込み深さの比率が小さくなっても、この自然石の固定強度を確保することができる。
したがって、自然石を用いる上において、その形状面での制約を大幅に緩和することができ、この結果、自然発生するあるいは工事に伴って発生する自然石を有効に利用することができるとともに、その選別作業をなくして施工性を高めることができる。
【図面の簡単な説明】
【図１】本発明の第１の実施形態に係わるコンクリートブロックの製造に用いられる型枠を示す斜視図である。
【図２】本発明の第１の実施形態に係わるコンクリートブロックの製造に用いられる型枠とその内部に組み付けられる補強用支持枠体を示す平面図である。
【図３】本発明の第１の実施形態に係わるコンクリートブロックの製造方法の工程図で、１次コンクリート打設前の状態を示す型枠の縦断面図である。
【図４】本発明の第１の実施形態に係わるコンクリートブロックの製造方法の工程図で、１次コンクリート打設後の状態を示す型枠の縦断面図である。
【図５】本発明の第１の実施形態に係わるコンクリートブロックの製造方法の工程図で、自然石を挿入した状態を示す型枠の縦断面図である。
【図６】本発明の第１の実施形態に係わるコンクリートブロックの製造方法の工程図で、２次コンクリート打設後の状態を示す型枠の縦断面図である。
【図７】本発明の第１の実施形態に係わるコンクリートブロックの製造方法によって得られたコンクリートブロックの斜視図である。
【図８】本発明の第１の実施形態に係わるコンクリートブロックの製造方法によって得られたコンクリートブロックの平面図である。
【図９】図８の正面図である。
【図１０】図８の側面図である。
【図１１】図８のコンクリートブロックによって構築された土木構造物の縦断面図である。
【図１２】図８のコンクリートブロックによって構築された土木構造物の正面図である。
【図１３】本発明の第２の実施形態に係わるコンクリートブロックの製造方法に用いられる型枠装置の平面図である。
【図１４】本発明の第２の実施形態に係わるコンクリートブロックの製造方法の工程図で、１次コンクリート打設後の状態を示す型枠の縦断面図である。
【図１５】本発明の第２の実施形態に係わるコンクリートブロックの製造方法の工程図で、網状部材を設置した状態を示す型枠の縦断面図である。
【図１６】本発明の第２の実施形態に係わるコンクリートブロックの製造方法の工程図で、自然石を挿入した状態を示す型枠の縦断面図である。
【図１７】本発明の第２の実施形態に係わるコンクリートブロックの製造方法の工程図で、２次コンクリート打設後の状態を示す型枠の縦断面図である。
【図１８】本発明の第３の実施形態に係わるコンクリートブロックの製造方法に用いられる型枠装置の平面図である。
【図１９】本発明の第３の実施形態に係わるコンクリートブロックの製造方法に用いられる型枠装置の縦断面である。
【図２０】本発明の第３の実施形態に係わるコンクリートブロックの製造方法に用いられる補助支持枠体の正面図である。
【図２１】本発明のコンクリートブロックの製造方法に用いられる自然石の支持構造の変形例を示す要部の正面図である。
【図２２】従来における土木構造物の一例を示す縦断面図である。
【符号の説明】
１  根固め部
２  石
３  型枠
３ａ  （一方の）側壁
３ｂ  （他方の）側壁
３ｃ  底壁
４  凹部
５  凸部
６  溝
７  凹部７
８  補強用支持枠体
９  アンカーブロック
１０  脚体
１１  係止部材
１２  １次コンクリート
１３  ２次コンクリート
１４  コンクリートブロック
１５  凹部
１６  凸部
１７  溝
１８  脚部
１９  網状部材
２０  補助支持枠体
２１  位置調整機構
Ｇ  法面
Ｓ  自然石
【図１】
0003605397.tif 000002
【図２】
0003605397.tif 000003
【図３】
0003605397.tif 000004
【図４】
0003605397.tif 000005
【図５】
0003605397.tif 000006
【図６】
0003605397.tif 000007
【図７】
0003605397.tif 000008
【図８】
0003605397.tif 000009
【図９】
0003605397.tif 000010
【図１０】
0003605397.tif 000011
【図１１】
0003605397.tif 000012
【図１２】
0003605397.tif 000013
【図１３】
0003605397.tif 000014
【図１４】
0003605397.tif 000015
【図１５】
0003605397.tif 000016
【図１６】
0003605397.tif 000017
【図１７】
0003605397.tif 000018
【図１８】
0003605397.tif 000019
【図１９】
0003605397.tif 000020
【図２０】
0003605397.tif 000021
【図２１】
0003605397.tif 000022
【図２２】
0003605397.tif 000023